(57)【要約】【課題】リール本体の大型化を招くことなくドラグ切換機構の回転部材をロックできるようにする。【解決手段】ドラグ切換装置９は、フロントドラグ機構８とリアドラグ機構７とを切り換える装置であって、回転部材５２と、操作レバー７１と、ロック部材７２と、捩じりコイルばね７３と、第１トグルばね７４とを備えている。回転部材は、スプール軸１５に対して回転不能にかつリール本体に対して前後移動不能に設けられ外周に複数の係合部５２ａを有する。操作レバーは、るロック位置と解除位置との間でスプール軸と食い違う第１軸回りに揺動する。ロック部材は、操作レバーにより回転部材を回転不能にする係止位置と回転自在にする離反位置とに第１軸回りに揺動する。捩じりコイルばねは、ロック部材を係止位置に向けて付勢する。第１トグルばねは、操作レバーをロック位置と解除位置とに振り分けて付勢する。【選択図】      図４
2004290112.tif 000002
【特許請求の範囲】
【請求項１】
スピニングリールのリール本体に回転自在に装着されたハンドルの回転により前後移動するスプールを制動するドラグ機構の作動状態を切り換えるスピニングリールのドラグ切換装置であって、
前記スプールが先端に装着されたスプール軸に対して回転自在又は回転不能にかつ前記リール本体に対して前後移動不能に設けられ外周に周方向に間隔を隔てて形成された複数の係合部を有し前記ドラグ機構を構成する回転部材と、
ロック位置と解除位置との間で前記スプール軸と食い違う第１軸回りに揺動自在に前記リール本体に装着された操作部材と、
前記複数の係合部のいずれかに係合して前記回転部材を回転不能にする係止位置と離反して前記回転部材を回転可能にする離反位置とに前記第１軸回りに前記リール本体に対して回動自在に設けられ、前記操作部材の前記ロック位置から解除位置への揺動に連動して前記係止位置から前記離反位置に回動するロック部材と、
前記ロック部材と前記リール本体とに両端が各別に係止され前記ロック部材を前記係止位置に向けて付勢する第１付勢手段と、
前記操作部材と前記リール本体とに両端が各別に係止され前記操作部材を前記ロック位置と前記解除位置とに振り分けて付勢するとともに、前記解除位置側への付勢力が前記第１付勢手段の付勢力よりも大きい第２付勢手段と、
を備えたスピニングリールのドラグ切換装置。
【請求項２】
前記スプール軸に回転不能かつ軸方向移動自在に装着されかつ前記リール本体に対して前後移動不能に規制された筒状部材をさらに備え、
前記回転部材は、前記筒状部材の外周面に回転自在又は回転不能に装着されている、請求項１に記載のスピニングリールのドラグ切換装置。
【請求項３】
前記操作部材は、
前記第１軸に沿って配置され前記リール本体に回動自在に装着され前記ロック部材が回動自在に装着される軸部と、
前記軸部に回転不能に設けられ先端が前記軸部から径方向外方に延びて前記リール本体の外方に突出する操作部と、
前記軸部に回動不能に前記ロック部材と並べて装着され、前記ロック部材に接触可能であり、前記操作部の前記ロック位置から前記解除位置への揺動に連動して前記ロック部材を前記係止位置から前記離反位置側に移動させる係止突起が形成された連動部とを有し、前記連動部に前記第２付勢手段が係止されている、請求項１又は２に記載のスピニングリールのドラグ切換装置。
【請求項４】
前記回転部材は、前記スプール軸に対して回転不能に設けられ前記スプール軸を制動する第１ドラグ機構を構成しており、前記回転部材の係合部から前記ロック部材が離脱して前記回転部材の回転がロック解除されると前記第１ドラグ機構が作動可能になり、前記係合部に前記ロック部材が接触して前記回転部材の回転がロックされると前記第１ドラグ機構が作動不能になる、請求項１から３のいずかに記載のスピニングリールのドラグ切換装置。
【請求項５】
前記スプール軸の先端には前記スプールが前記第１ドラグ機構より制動力が大きい第２ドラグ機構を介して回転自在に装着されており、前記回転部材の係合部に前記ロック部材が係合して前記回転部材の回転がロックされると前記第２ドラグ機構が作動可能になる、請求項４に記載のスピニングリールのドラグ切換装置。
【請求項６】
前記回転部材は前記スプール軸に対して回転自在に設けられ前記スプール軸を制動する第３ドラグ機構を構成しており、前記回転部材の係合部から前記ロック部材が離脱して前記回転部材の回転がロック解除されると前記第３ドラグ機構が作動不能になり、前記係合部に前記ロック部材が接触して前記回転部材の回転がロックされると前記第３ドラグ機構が作動可能になる、請求項１から３のいずれかに記載のスピニングリールのドラグ切換装置。
【請求項７】
前記ハンドルの糸巻取方向の回転に連動して前記解除位置にある前記操作部材を前記ロック位置側に戻す復帰手段をさらに備える、請求項１から６のいずれかに記載のスピニングリールのドラグ切換装置。
【請求項８】
前記復帰手段は、
前記ハンドルの回転軸に連動して回転する連動部材に設けられた１又は複数の復帰突起部と、
前記操作部材に基端が連結され、前記復帰突起部に当接する接触位置と前記復帰突起部から離反する離反位置とに移動自在に前記リール本体に設けられた復帰部材と、
前記復帰部材を前記接触位置と離反位置とに振り分けて付勢する第３付勢手段とを有する、請求項７に記載のスピニングリールのドラグ切換装置。
【請求項９】
前記連動部材は、前記ハンドルの回転により回転するフェースギアであり、
前記復帰突起部は前記フェースギアの背面に前記第１軸と平行に突出して回転方向に間隔を隔てて複数形成されている、請求項８に記載のスピニングリールのドラグ切換装置。
【発明の詳細な説明】
【０００１】
【発明の属する技術分野】
本発明は、ドラグ切換装置、特に、スピニングリールのリール本体に回転自在に装着されたハンドルの回転により前後移動するスプールを制動するドラグ機構の制動状態を切り換えるスピニングリールのドラグ切換装置に関する。
【０００２】
【従来の技術】
スピニングリールには、スプールの糸繰り出し方向の回転を制動するドラグ機構が装着され、かつドラグ機構を作動可能状態と作動不能状態に切換可能なドラグ切換装置を有するものが従来知られている（たとえば、特許文献１参照）。
従来のドラグ切換装置は、リール本体の後部に設けられた第１ドラグ機構とスプール内に配置され第１ドラグ機構より制動力が強い第２ドラグ機構とに切り換えるドラグ切換装置ものと、リール本体の後部に設けられた第３ドラグ機構を作動可能状態と作動不能状態とに切り換えるものとが知られている。
【０００３】
第１ドラグ機構と第２ドラグ機構とを切り換えるドラグ切換装置は、スプール軸に回転不能に装着された筒状部材と、筒状部材に回転不能に装着された回転部材と、回転部材に対して係合離脱するロック部材と、ロック部材を操作する操作部材とを備えている。第２ドラグ機構は、筒状部材の外周に配置されている。
第３ドラグ機構を作動可能状態と作動不能状態とに切換可能なドラグ切換装置は、スプール軸に回転不能に装着された筒状部材と、筒状部材に回転自在に装着されたドラグ筒部と、ドラグ筒部に回転不能に装着された回転部材と、回転部材に対して係合離脱するロック部材と、ロック部材を操作する操作部材とを備えている。第３ドラグ機構は、筒状部材の外周とドラグ筒部の内周との間に配置されている。
【０００４】
何れのドラグ切換装置でも、回転部材は、外周部にロック部材に係合する凹凸からなる複数の係合部を有している。ロック部材は、係合部に係合するロック位置と離脱する離脱位置とに上下移動自在にリール本体に支持されている。操作部材は、スプール軸の上方でハンドルの回転軸と平行な軸回りに揺動自在に装着されており、ロック部材を押圧するためのカムが操作部材に連動して揺動し、ロック部材を下方に押圧する。ロック部材は、回転部材の下方から回転部材の係合部に係合し付勢部材により上方に付勢されている。
【０００５】
このように構成されたドラグ切換装置では、操作部材をたとえば後方に揺動させるとカムが後退してロック部材が付勢部材に押圧されて回転部材に係合し回転部材がロックされる。このようにバネの付勢力によりロック部材を回転部材に係合させているので、回転部材が噛み合わない位置にあってもロック部材を回転部材を回転させることにより、ロック部材が回転部材を確実に係止できる。そして、前方に揺動させるとカムがロック部材を押圧してロック部材が係合部から離反して回転部材がロック解除される。
【０００６】
両ドラグ機構を切り換えるドラグ切換装置では、回転部材がロックされると第１ドラグ機構は作動不能状態になり、スプール軸がロックされるのでスプール内の第２ドラグ機構が作動可能状態になる。また、回転部材がロック解除されると、スプール軸が回転可能状態になるので第２ドラグ機構が作動不能状態になり、第１ドラグ機構が作動可能状態になる。
【０００７】
第３ドラグ機構を切り換えるドラグ切換装置では、回転部材がロックされると、ドラグ筒部が回転不能になりスプール軸がロックされ、第３ドラグ機構がドラグ作動可能状態になる。また、回転部材がロック解除されると、ドラグ筒部が回転可能になり、スプールが自由回転状態になる。
【０００８】
【特許文献１】
特公平６−９７９３３号公報（第８図）
【０００９】
【発明が解決しようとする課題】
前記従来の構成では、何れの構成でも上下移動するロック部材により回転する回転部材を下方からロック・ロック解除している。一方、ロック部材は操作部材に連動するカムによりスプール軸より上方で押圧されている。このため、ロック部材は回転部材の側方で回転部材を囲むように形成され回転部材の下方に向けて延びている。しかも、ロック部材で回転部材の回転トルクによる反力を受けなければならないので、ロック部材はリール本体の内壁に接触して反力を受けている。したがって、ロック部材を配置するためのロック部材の占有空間がリール本体の上下方向及び左右方向に必要になり、リール本体の大型化を招くおそれがある。
【００１０】
本発明の課題は、スピニングリールのドラグ切換装置において、リール本体の大型化を招くことなく回転部材をロックできるようにすることにある。
【００１１】
【課題を解決するための手段】
発明１に係るスピニングリールのドラグ切換装置は、スピニングリールのリール本体に回転自在に装着されたハンドルの回転により前後移動するスプールを制動するドラグ機構の作動状態を切り換えるスピニングリールのドラグ切換装置であって、回転部材と、操作部材と、ロック部材と、第１付勢手段と、第２付勢手段とを備えている。回転部材は、スプールが先端に装着されたスプール軸に対して回転自在又は回転不能にかつリール本体に対して前後移動不能に設けられ外周に周方向に間隔を隔てて形成された複数の係合部を有しドラグ機構を構成する部材である。操作部材は、ロック位置と解除位置との間でスプール軸と食い違う第１軸回りに揺動自在にリール本体に装着された部材である。ロック部材は、複数の係合部のいずれかに係合して回転部材を回転不能にする係止位置と離反して回転部材を回転可能にする離反位置とに第１軸回りにリール本体に対して回動自在に設けられ、操作部材のロック位置から解除位置への揺動に連動して係止位置から離反位置に回動する部材である。第１付勢手段は、ロック部材とリール本体とに両端が各別に係止されロック部材を係止位置に向けて付勢する手段である。第２付勢手段は、操作部材とリール本体とに両端が各別に係止され操作部材をロック位置と解除位置とに振り分けて付勢するとともに、解除位置側への付勢力が第１付勢手段の付勢力よりも大きい手段である。
【００１２】
このドラグ切換装置では、操作部材をロック位置に揺動させると、第２付勢部材により操作部材がロック位置に付勢されロック位置で保持される。そして、ロック部材が第１付勢手段により付勢され係止位置に揺動して回転部材の係合部に係合する。この結果、ロック部材により回転部材がロックされ回転不能になる。回転部材がスプール軸に対して回転不能に設けられている場合には、スプール軸が回転不能になる。このため、スプールを直接制動するフロントドラグ機構などのドラグ機構が作動可能になる。また、回転部材がスプールに対して回転自在に設けられている場合には、回転部材が回転不能になるとともにスプール軸に対して回転可能であるので、スプール軸を介してスプールを間接的に制動するリアドラグ機構などのドラグ機構が作動可能になる。
【００１３】
操作部材をロック位置から解除位置に操作すると、第２付勢手段の死点を超えると操作部材が解除位置に付勢され解除位置で保持される。付勢力が第１付勢手段より強い第２付勢手段により付勢された操作部材の揺動と連動してロック部材が第１付勢手段の付勢力に抗して係止位置から離反位置に揺動する。この結果、回転部材がロック解除され回転可能になる。この状態では、回転部材がスプール軸に対して回転不能に設けられている場合には、スプール軸が回転可能になる。この結果、スプールを直接制動するドラグ機構が作動不能になる。また、回転部材がスプール軸に対して回転可能に設けられている場合には、回転部材が回転可能になるので、スプール軸を介してスプールを間接的に制動するドラグ機構が作動不能になる。
【００１４】
ここでは、スプール軸回りに回転する回転部材と食い違う軸回りに揺動するロック部材を回転部材の係合部に係合させて回転部材を回転不能な状態と回転可能な状態とに切り換えている。このため、ロック部材を操作部材と同じ第１軸回りに揺動させるだけで回転部材をロックすることができ、ロック部材を小さな空間に配置できる。しかも、ロック部材と回転部材とは食い違う軸回りに配置されるので、回転部材の回転トルクによる反力を揺動軸で確実に受けることができる。このため、ロック部材をリール本体に接触させる必要がなくなり、さらにコンパクトな空間にロック部材を配置できる。したがって、リール本体の大型化を招くことなく回転部材をロックできるようにすることになる。また、第１付勢手段によりロック部材が係止位置に向けて付勢されているので、ロック部材と回転部材の係合部との位相合わせが不要になる。
【００１５】
発明２に係るスピニングリールのドラグ切換装置は、発明１に記載の装置において、スプール軸に回転不能かつ軸方向移動自在に装着されかつリール本体に対して前後移動不能に規制された筒状部材をさらに備え、回転部材は、筒状部材の外周面に回転自在又は回転不能に装着されている。この場合には、スプール軸に回転不能に装着されかつリール本体に対して前後移動が規制された筒状部材に回転部材が装着されているので、回転部材をドラグ機構の構成の一部とする場合にドラグディスクを筒状部材に装着することによりドラグ機構の構成が簡素になる。
【００１６】
発明３に係るスピニングリールのドラグ切換装置は、発明１又は２に記載の装置において、操作部材は、第１軸に沿って配置されリール本体に回動自在に装着されロック部材が回動自在に装着される軸部と、軸部に回転不能に設けられ先端が軸部から径方向外方に延びてリール本体の外方に突出する操作部と、軸部に回動不能にロック部材と並べて装着され、ロック部材に接触可能であり、操作部の解除位置からロック位置への揺動に連動してロック部材を係止位置から離反位置側に移動させる係止突起が形成された連動部とを有し、連動部に第２付勢手段が係止されている。
【００１７】
この場合には、操作部を持って操作部材をロック位置から解除位置に揺動させると、軸部に回動自在に装着することによりリール本体に対して揺動するように構成されたロック部材に連動部の係止突起が接触してロック部材を離反位置に揺動させる。そして第２付勢手段の死点を超えると連動部が付勢されて解除位置に保持される。また、操作部を持って操作部材を解除位置からロック位置に揺動させると、係止突起がロック部材から離反しロック部材が第１付勢手段により係止位置に向けて付勢される。そして、回転部材の係合部がロック部材に係合する位置に回転すると係止位置に揺動して回転部材がロックされる。ここでは、ロック部材と連動部とを軸部に並べて配置するとともに操作部を別に配置したので、操作部の配置の制限が緩和されて操作部を操作しやすく配置できると共に、操作部材の解除位置側への揺動に連動してロック部材を連動部により離反位置側に揺動させることができる。
【００１８】
発明４に係るスピニングリールのドラグ切換装置は、発明１から３のいずれかに記載の装置において、回転部材は、スプール軸に対して回転不能に設けられスプール軸を制動する第１ドラグ機構を構成しており、回転部材の係合部からロック部材が離脱して回転部材の回転がロック解除されると第１ドラグ機構が作動可能になり、係合部にロック部材が接触して回転部材の回転がロックされると第１ドラグ機構が作動不能になる。この場合には、回転部材がスプール軸に対して回転不能であるので、ロック解除されると回転部材とともにスプール軸がリール本体に対して回転可能になり、第１ドラグ機構が作動可能になる。
【００１９】
発明５に係るスピニングリールのドラグ切換装置は、発明４に記載の装置において、スプール軸の先端にはスプールが第１ドラグ機構より制動力が大きい第２ドラグ機構を介して回転自在に装着されており、回転部材の係合部にロック部材が係合して回転部材の回転がロックされると第２ドラグ機構が作動可能になる。この場合には、回転部材がロックされると回転部材とともにスプール軸がリール本体に対して回転不能になり、第２ドラグ機構が作動可能になる。
【００２０】
発明６に係るスピニングリールのドラグ切換装置は、発明１から３のいずれかに記載の装置において、回転部材はスプール軸に対して回転自在に設けられスプール軸を制動する第３ドラグ機構を構成しており、回転部材の係合部からロック部材が離脱して回転部材の回転がロック解除されると第３ドラグ機構が作動不能になり、係合部にロック部材が接触して回転部材の回転がロックされると第３ドラグ機構が作動可能になる。この場合には、回転部材がスプール軸に対して回転自在であるので、回転部材がロックされるとスプール軸と回転部材が相対回転可能になり第３ドラグ機構が作動可能になる。
【００２１】
発明７に係るスピニングリールのドラグ切換装置は、発明１から６のいずかに記載の装置において、ハンドルの糸巻取方向の回転に連動して解除位置にある操作部材をロック位置側に戻す復帰手段をさらに備える。この場合には、ハンドルが回転すると、ロックされるので、回転部材をロック解除したままにすることによる不具合を防止できる。具体的には、強弱の２種のドラグ機構を切り換える場合には強側のドラグ機構に切り換えるとよい。
【００２２】
発明８に係るスピニングリールのドラグ切換装置は、発明７に記載の装置において、復帰手段は、前記ハンドルの回転軸に連動して回転する連動部材に設けられた１又は複数の復帰突起部と、操作部材に基端が連結され、先端が復帰突起部に当接する接触位置と復帰突起部から離反する位置とに移動自在にリール本体に設けられた復帰部材と、復帰部材を接触位置と離反位置とに振り分けて付勢する第３付勢手段とを有する。この場合には、操作部材がロック位置にあるとき、ハンドルを糸巻取方向に回転させると、連動部材が糸巻取方向に回転し連動部材に設けられた復帰突起部が接触位置にある復帰部材の先端に接触する。そして、復帰突起部により復帰部材が押圧されて離反位置に移動しそれに連動して操作部材が解除位置に戻りロックが解除される。ここでは、復帰手段をハンドル軸に連動する連動部材に復帰突起部を設けることにより実現しているので、たとえば、連動部材としてフェースギアの回転軸やフェースギアを用いることにより復帰手段の構成が簡素になる。
【００２３】
発明９に係るスピニングリールのドラグ切換装置は、発明８に記載の装置において、連動部材は、ハンドルの回転により回転するフェースギアであり、復帰突起部はフェースギアの背面に第１軸と平行に突出して回転方向に間隔を隔てて複数形成されている。この場合には、連動部材としてフェースギアを用いるので、フェースギアの背面に復帰突起部を設けるだけでよくなり、復帰手段の構成が簡素になる。
【００２４】
【発明の実施の形態】
〔全体構成〕
図１において、本発明の一実施形態を採用したスピニングリールは、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００２５】
リール本体２は、図１及び図２に示すように、各種の機構が装着されるリールボディ２ａと、リールボディ２ａに着脱自在に装着されリールボディ２ａとの間で各種の機構を収納する機構収納空間を形成し得る蓋部材２ｂとを有している。リールボディ２ａは、たとえばアルミニウム合金等の金属製又は合成樹脂製の部材である。蓋部材２ｂは、たとえばアルミニウム合金等の金属製の部材である。蓋部材２ｂには、上部に前後に延びるＴ字形の竿取付脚２ｃ（図１）が一体形成されている。また、リールボディ２ａには、蓋部材２ｂ側に湾曲して形成された金属板材製の装着フレーム２ｋが固定されている。装着フレーム２ｋは、上下にわたり設けられるとともに、一部が後上部に分岐して延びている。
【００２６】
機構収納空間内には、ロータ３をハンドル１の回転に連動して回転させるロータ駆動機構５と、スプール４を前後に移動させて釣り糸を均一に巻き取るためのオシレーティング機構６と、スプール４を制動するリアドラグ機構７と、リアドラグ機構７より強い制動力でスプール４を制動するフロントドラグ機構（第２制動機構の一例）８とリアドラグ機構（第１制動機構の一例）７とを切り換えるドラグ切換機構９とが設けられている。
【００２７】
ロータ駆動機構５は、ハンドル１が回転不能に装着されたハンドル軸１０と、ハンドル軸１０とともに回転するフェースギアからなるフェースギア１１と、このフェースギア１１に噛み合うピニオンギア１２とを有している。ピニオンギア１２は内部にスプール軸１５が貫通可能に筒状に形成されており、その前部１２ａはロータ３の中心部を貫通しており、ナット１３によりロータ３と固定されている。ピニオンギア１２は、その軸方向の中間部と後端部とが、それぞれ軸受（図示せず）を介してリール本体２に回転自在に支持されている。
【００２８】
オシレーティング機構６は、先端にスプール４がフロントドラグ機構８を介して連結されたスプール軸１５を前後方向に移動させてスプール４を同方向に移動させるための機構である。オシレーティング機構６は、フェースギア１１と一体形成されハンドル軸１０が回転不能に装着されるフェースギア軸１１ａに連動して回転する減速機構１４を介して回転が伝達される。オシレーティング機構６は、減速機構１４に噛み合うカムギア２０と、カムギア２０により前後移動するスライダ２１とを有している。このスライダ２１にスプール軸１５が回転自在かつ軸方向移動不能に装着されている。
【００２９】
ロータ３は、図１に示すように、円筒部３０と、円筒部３０の後端に一体形成され円筒部３０と間隔を隔てて前方に延びる第１及び第２ロータアーム３１，３２とを有している。両ロータアーム３１，３２の先端には、揺動自在にベールアーム３３が装着されている。ベールアーム３３は、ロータ３の回転によりスプールに釣り糸を案内して巻き付けるために設けられている。
【００３０】
ロータ３の円筒部３０の内部には、ロータ３の逆転を禁止・解除するための逆転防止機構６６が配置されている。逆転防止機構６６をローラ型のワンウェイクラッチを有しており、ワンウェイクラッチをリール本体の前部下面に揺動自在に装着された切換レバー６７により作用状態と非作用状態とに切り換えることにより、ロータ３の逆転を禁止・解除する。
【００３１】
スプール４は、ロータ３の第１ロータアーム３１と第２ロータアーム３２との間に配置されており、スプール軸１５の先端にフロントドラグ機構８を介して装着されている。スプール４は、外周に釣り糸が巻かれる糸巻胴部４ａと、糸巻胴部４ａの後部に一体で形成されたスカート部４ｂと、糸巻胴部４ａの前端に一体で形成されたフランジ部４ｃとを有している。
【００３２】
〔フロントドラグ機構の構成〕
フロントドラグ機構８は、スプール軸１５の先端に設けられている。フロントドラグ機構８は、螺合するドラグ力調整用のフロントドラグつまみ４１と、フロントドラグつまみ４１により押圧されるフロント摩擦部４２とを有している。フロントドラグつまみ４１は、スプール軸１５に螺合するナット４３が回転不能かつ軸方向移動自在に装着されたつまみ本体４４と、つまみ本体４４に回転自在かつ軸方向移動不能に係止されスプール軸１５に対して回転不能な押圧部４５とを有している。この押圧部４５が摩擦部４２に接触してスプール４を制動する。ナット４３と押圧部４５との間のスプール軸１５の外周側にはコイルばね４６が圧縮状態で配置されている。
【００３３】
摩擦部４２は、たとえば２枚のドラグディスク４２ａ，４２ｂを有している。ドラグディスク４２ａは、押圧部４５に接触して配置され、たとえばスプール軸１５に回転不能に装着されている。ドラグディスク４２ｂは、たとえばスプール４に回転不能に装着されている。
〔リアドラグ機構の構成〕
リアドラグ機構７は、図２〜図４に示すように、スプール軸１５の後端部に設けられている。リアドラグ機構７は、リール本体２に螺合するドラグ力調整用のリアドラグつまみ５０と、スプール軸１５の後部に回転不能かつ軸方向移動自在に装着された筒状部材５１と、筒状部材５１の外周面に回転不能に装着された回転部材５２と、回転部材５２の両側に接触する２枚のドラグディスク５３ａ，５３ｂとを有している。
【００３４】
リアドラグつまみ５０は、リールボディ２ａの後部にねじ止め固定された筒状のねじ筒部２ｄに回転自在に装着されている。リアドラグつまみ５０は、ねじ筒部２ｄに回転自在に装着されたつまみ本体６０と、つまみ本体６０に回転不能かつ軸方向移動自在に装着されたナット部材６１とを有している。つまみ本体６０は有底筒状の部材であり、外周面に環状の滑り止め溝６０ａと、抜け止めのための環状のばね装着溝６０ｂとが形成されている。
【００３５】
ばね装着溝６０ｂの周方向の２箇所には内外周を貫通する貫通穴６０ｃ（図３）が形成されている。また底部内側面には、ナット部材６１を回転不能かつ軸方向移動自在に係止するたとえば３つの係止突起６０ｄが形成されている。係止突起６０ｄは、円弧状に図３左方に突出する突起である。ねじ筒部２ｄの外周面のばね装着溝６０ｂに対向する位置には、環状の抜け止め溝２ｅが形成されている。抜け止め溝２ｅの底部は周方向に多数の凹凸２ｇが形成されている。ばね装着溝６０ｂには、弾性板材をＣ字状に湾曲させて形成された抜け止めばね６４が装着されている。抜け止めばね６４の周方向の中心には内方にヘアピン状に突出する突出部６４ａが形成されている。抜け止めばね６４の突出部６４ａの先端は、貫通穴６０ｃを貫通して抜け止め溝２ｅの底部の凹凸２ｇに接触している。この突出部６４ａの先端が抜け止め溝２ｅに係止されて、つまみ本体６０がねじ筒部２ｄに対して抜け止めされるとともに、リアドラグつまみ５０が操作されると突出部６４ａの先端が凹凸２ｇと衝突を繰り返して発音する。滑り止め溝６０ａには、弾性体製の筒状の滑り止めリング６５が装着されている。
【００３６】
ナット部材６１は、ねじ筒部２ｄの内周面に形成された雌ねじ部２ｆに螺合する雄ねじ部６１ａが外周面に形成された概ね円柱状の部材である。ナット部材６１は、係止突起６０ｄに係合する円弧状の３つの係止凹部６１ｂ（図３）を後端面に有し、コイルばね６２が収納される円形の収納部６１ｃを前面端に有している。コイルばね６２は、ドラグ力調整用のばねであり、スプール軸１５の後端外周側に配置されている。コイルばね６２は、ナット部材６１とドラグワッシャ５３ｂとの間に圧縮状態で配置され、一端がドラグディスク５３ｂにワッシャ６８を介して接触し、他端がワッシャ６９を介してナット部材６１に接触している。
【００３７】
筒状部材５１は、リアドラグ機構７を構成するとともにドラグ切換機構９を構成する。筒状部材５１は、図２に示すように、リールボディ２ａの後部に設けられた板状の装着部２ｈに形成された段差付きの貫通孔２ｉに前方への移動規制された状態で回転自在に装着されている。また、コイルばね６２により押圧されたドラグディスク５３ａ，５３ｂにより後方への移動も規制されている。したがって、筒状部材５１は、リール本体２に対して前後移動不能である。
【００３８】
図４に示すように、筒状部材５１は、スプール軸１５の後端部に形成された互いに平行に対向する面取り部１５ｃに回転不能かつスプール軸１５に対して軸方向移動自在に装着されている。筒状部材５１の内周面には、面取り部１５ｃに係合する長孔５１ａが形成されている。筒状部材５１は、前側に形成された音出し用のギア部５１ｂと、ギア部５１ｂより大径に形成された鍔部５１ｃと、鍔部５１ｃより小径に形成された支持部５１ｄとを有している。支持部５１ｄには、互いに平行に形成された面取り部５１ｅが形成されている。鍔部５１ｃは、貫通孔２ｉの段差に接触しており、これにより筒状部材５１の前方への移動が規制されている。ギア部５１ｂには、リアドラグ機構７の作動時（スプール軸１５が回転するとき）に発音する図示しない音出しばねの先端が接触している。
【００３９】
回転部材５２は、円板状の部材であり、リアドラグ機構７を構成するとともにドラグ切換機構９を構成する。回転部材５２は、外周面に周方向に間隔を隔てて配置された複数の係合部５２ａを有している。係合部５２ａは、外周部から凹んで形成されている。また、内周部に筒状部材５１の面取り部５１ｅに回転不能に係止される長孔５２ｂを有している。
【００４０】
ドラグディスク５３ａ，５３ｂは、回転部材５２を挟んで筒状部材５１の支持部５１ｄに回転自在に装着されかつリールボディ２ａに回転不能に係止されている。ドラグディスク５３ａ，５３ｂの外周部には、径方向外方に突出する１対の係止突起５３ｃ，５３ｄが形成されており、リールボディ２ａには、両係止突起５３ｃ，５３ｄに配置される突起部２ｊ（図２）が形成されている。これにより、ドラグディスク５３ａ，５３ｂは、リールボディ２ａに対して回転不能になっている。
【００４１】
〔ドラグ切換機構の構成〕
ドラグ切換機構９は、筒状部材５１と、回転部材５２と、ロック位置と解除位置とに揺動自在にリール本体２に装着された操作レバー７１と、操作レバー７１に係止位置と離反位置とに回動自在に装着されたロック部材７２と、ロック部材７２を係止位置側に付勢する捩じりコイルばね７３と、操作レバー７１をロック位置と解除位置とに振り分けて付勢する第１トグルばね７４と、解除位置にある操作レバー７１をロック位置側に戻すリターン機構７５とを有している。
【００４２】
操作レバー７１は、リール本体２の上後部でスプール軸１５と食い違う第１軸Ｘ回りに図３に実線で示すロック位置と２点鎖線で示す解除位置とに揺動自在に装着されている。操作レバー７１は、リール本体２の上後部に第１軸Ｘに沿って配置されロック部材７２が回転自在に装着された軸部７６と、軸部７６の両端に回転不能に設けられた操作部７７と、軸部７６にロック部材７２と並べて回転不能に装着された連動部７８とを有している。
【００４３】
軸部７６は、リールボディ２ａから基端が外部に露出する第１大径部７６ａと、第１大径部７６ａの先端に軸部より小径に形成された小径部７６ｂと、小径部７６ｂの先端に回転不能に装着された第２大径部７６ｃとを有している。第１大径部７６ａの外周側には、捩じりコイルばね７３が配置されている。小径部７６ｂには、互いに対向して平行に形成された面取り部７６ｄが形成されている。また、小径部７６ｂの第１大径部７６ａ側にロック部材７２が回転自在に装着されているとともに、ロック部材７２と並べて連動部７８が回転不能に装着されている。第２大径部７６ｃは、蓋部材２ｂを貫通して外部に露出している。第２大径部７６ｃは、小径部７６ｂの面取り部７６ｄの先端に回転不能に係止される長穴７６ｅを有している。
【００４４】
操作部７７は、第１及び第２レバー部７７ａ，７７ｂを有している。第１レバー部７７ａは、軸部７６の第１大径部７６ａと一体形成されており、先端が軸部７６から径方向外方に延びている。また、第１レバー部７７ａは、径方向外方に延びた径方向の先端が第２レバー部７７ｂに向けて軸部７６と略平行に延びている。第２レバー部７７ｂは、第２大径部７６ｃと一体形成されており、第１レバー部７７ａと同様に、軸部７６から先端が径方向外方に延びている。第２レバー部７７ｂは径方向外方に延びた先端が第１レバー部７７ａにねじ止め固定されるように第１レバー部７７ａに向けて僅かに延びている。したがって、操作部７７は、リールボディ２ａ及び蓋部材２ｂの上部を跨いだ略Ｃ字状に形成されている。
【００４５】
連動部７８は、小径部７６ｂに回転不能に装着される装着部７８ａと、装着部７８ａから径方向外方に延びるアーム部７８ｂとを有している。装着部７８ａには、小径部７６ｂの面取り部７６ｄに回転不能に係止される長孔７８ｃが形成されている。アーム部７８ｂには、先端に第１トグルばね７４が係止される係止孔７８ｄが軸部７６と平行に形成されるとともに、途中にリターン機構７５を装着するための装着ピン７８ｅが軸部７６と平行に突出して形成されている。また連動部７８には、ロック部材７２を係止位置から離反位置にむけて連動して移動される係止突起７８ｆが形成されている。係止突起７８ｆは、操作部７７をロック位置から解除位置に揺動させると、ロック部材７２のロック爪７２ｂ（後述）に接触し、操作部７７の揺動に連動してロック部材７２を係止位置から離反位置に揺動させる。
【００４６】
ロック部材７２は、軸部７６の小径部７６ｂに係止位置と離反位置とに回転自在に装着されるリング状の装着部７２ａと装着部から径方向外方に延びるロック爪７２ｂとを有している。ロック爪７２ｂは、図３及び図４に示すように、先端が僅かに上方に湾曲した板状部材であり、先端上部に捩じりコイルばね７３が係止され、ロック部材７２を係止位置側に付勢している。ロック爪７２ｂは、係止位置にあるとき、回転部材５２の係合部５２ａに配置されて回転部材４２を回転不能な状態にする。これにより、筒状部材５１を介してスプール軸１５が回転不能な状態になり、リアドラグ機構７が作動不能な状態になるとともに、フロントドラグ機構８が作動可能な状態になる。また、ロック爪７２ｂが離反位置にあるとき、スプール軸１５が回転可能な状態になり、リアドラグ機構７が作動可能な状態になるとともにフロントドラグ機構８が作動不能な状態になる。
【００４７】
捩じりコイルばね７３は、一端がリールボディ２ａに係止され、他端が前述したようにロック部材のロック爪７２ｂに係止されている。そして、ロック部材７２を係止位置に向けて（図３時計回り）に付勢している。
第１トグルばね７４は、一端がリールボディ２ａに係止され、他端が連動部７８のアーム部７８ｂ先端の係止孔７８ｄに係止された捩じりコイルばねであり、死点をはさんで操作レバー７１をロック位置と解除位置とに振り分けて付勢する。これにより、操作レバー７１は、ロック位置と解除位置とでその位置が保持される。第１トグルばね７４は、解除位置側への付勢力が捩じりコイルばね７３の付勢力よりも大きくなるようにばね力が設定されている。この結果、捩じりコイルばね７３によりロック部材７２を係止位置側に付勢しても、操作レバー７１でロック部材７２を離反位置側に保持することができる。
【００４８】
なお、操作レバー７１は、第１トグルばね７４に付勢された状態において、ロック位置では、アーム部７８ｂがリールボディ２ａの内側面に接触して位置決めされ、解除位置では、第１レバー部７７ａのリールボディ２ａ及び蓋部材２ｂを跨ぐ部分がリールボディ２ａ及び蓋部材２ｂの上部外側面に接触して位置決めされる。
【００４９】
リターン機構７５は、図２、図３及び図５に示すように、フェースギア１１に形成された復帰突起部８１と、操作レバー７１に基端が連結され、復帰突起部８１に当接する図５（ａ）に示す接触位置と、復帰突起部８１から離反する図５（ｂ）に示す離反位置とに移動自在にリールボディ２ａに設けられた復帰部材８２と、復帰部材８２を接触位置と離反位置とに振り分けて付勢する第２トグルばね８３とを有している。
【００５０】
復帰突起部８１は、フェースギア１１の背面に第１軸Ｘと平行な軸方向に突出して形成されており、回転方向に間隔を隔てて２つ設けられている。なお、復帰突起部８１の数は２つに限定されない。また、復帰突起部の突出方向は第１軸方向に限定されず、径方向に突出してもよい。ただし、フェースギア１１の背面に復帰突起部８１を突出させることによりリターン機構７５の構成がコンパクトになる。
【００５１】
復帰部材８２は、板状部材であり、中央部に略平行四辺形に切り欠かれた移動ガイド８２ａが形成され、先端に復帰突起部８１に接触する復帰爪８２ｂが形成されている。復帰部材８２の基端は、連動部７８の装着ピン７８ｅに揺動自在に連結されている。また、途中に後方に延びるばね係止部８２ｃが形成されており、ばね係止部８２ｃには、第２トグルばね８３の一端が係止されている。移動ガイド８２ａには、リールボディ２ａから突出するボス部２ｍが係合しており、ボス部２ｍにより復帰部材８２の移動が復帰突起部８１に当接する接触位置と復帰突起部８１から離反する離反位置とに規制されている。なお、復帰部材８２は、装着フレーム２ｋによって蓋部材２ｂ側への移動が規制されている。
【００５２】
第２トグルばね８３は、一端が復帰部材８２のばね係止部８２ｃに係止され、他端が装着フレーム２ｋに立設された係止軸２ｍに係止されている。
〔リールの操作及び動作〕
キャスティング前には切換レバー６７を操作して逆転防止機構６６によりロータ３を逆転禁止状態にする。また手でベールアーム３３を持ってベールアーム３３を糸開放姿勢に反転させる。さらに、操作レバー７１を図３に２点鎖線で示す解除位置側に揺動させる。
【００５３】
操作レバー７１を解除位置側に揺動させると、ロック爪７２ｂに連動部７８の係止突起７８ｆが接触して押圧し、ロック部材７２が離反位置に向けて移動する。そして、第１トグルばね７４の死点を超えると、操作レバー７１が解除位置に向けて付勢され解除位置で保持される。また、ロック部材７２が捩じりコイルばね７３の付勢力に抗して連動部７８を介して第１トグルばね７４により付勢され係止位置から離反位置に揺動して離反位置で保持される。この結果、回転部材５２が回転自在になってフロントドラグ機構８が作動不能になり、リアドラグ機構７が作動可能になる。これにより、弱いドラグ力がスプール４に付与される。また、リターン機構７５では、連動部７８の揺動により復帰部材８２の先端の復帰爪８２ｂが復帰突起部８１に接触可能な接触位置に向けて移動し、第２トグルばね８３の死点を超えると接触位置に保持される。
【００５４】
リアドラグ機構７のドラグ力の調整は、たとえば、釣り場の風や水流に合わせて行われる。リアドラグつまみ５０をたとえば、時計回りに回転させると、コイルばね６２の圧縮力が強くなり、ドラグ力が強くなる。すなわち、リアドラグつまみ５０を時計回りに回転させると、ナット部材６１が図３左方に進出し、コイルばね６２を圧縮する。コイルばね６２が圧縮されると、ドラグディスク５３ａ，５３ｂに対する押圧力が強くなり、回転部材５２が強く制動される。この結果、筒状部材５１を介してスプール軸１５を制動するドラグ力が強くなる。逆にリアドラグつまみ５０を反時計回りに回転させるとドラグ力が弱くなる。
【００５５】
これらの操作が終わると、キャスティングを行う。キャスティングが終わるとベールアーム３３を手で糸巻取姿勢に戻し、魚の当たりを待つ。魚が仕掛けにかかると、スプール４が逆転する。スプール４が逆転すると、操作レバー７１が解除位置にあるので、スプール軸１５とともに筒状部材５１が回転して発音機構が発音する。
【００５６】
魚のくいを確認して合わせるときには、ハンドル１を糸巻取方向に回転する。すると、復帰突起部８１が復帰爪８２ｂを押圧して復帰部材８２を離反位置に向けて移動させる。そして第２トグルばね８３の死点を超えると離反位置に保持される。この移動に伴って連動部７８が揺動し、軸部７６を介して操作部７７も揺動し、操作レバー７１が解除位置からロック位置に分向けて揺動する。この結果、連動部７８の係止突起７８ｆによるロック部材７２の押圧が解除され、ロック部材７２も係止位置に向けて回動する。そして、第１トグルばね７４の死点を超えると、操作レバー７１がロック位置に揺動して保持される。また、ロック部材７２は、回転部材５２の係合部５２ａがロック爪７２ｂに対向する位置に配置されると、捩じりコイルばね７３の付勢力により係止位置に回動し、回転部材５２を回転不能にロックする。
【００５７】
この状態では、筒状部材５１を介してスプール軸１５が回転不能にロックされるので、リアドラグ機構７が作動不能になり、フロントドラグ機構８が作動可能になり、スプール４に強いドラグ力が作動する。
ここでは、スプール軸１５回りに回転する回転部材５２と食い違う軸回りに揺動するロック部材７２を回転部材５２の係合部５２ａに係合させて回転部材５２を回転不能な状態と回転可能な状態とに切り換えている。このため、ロック部材７２を操作レバー７１と同じ第１軸Ｘ回りに揺動させるだけで回転部材５２をロックすることができ、ロック部材７２を小さな空間に配置できる。しかも、ロック部材７２と回転部材５２とは食い違う軸回りに配置されるので、回転部材５２の回転トルクによる反力を軸部７６で確実に受けることができる。このため、ロック部材７２をリール本体２に接触させる必要がなくなり、さらにコンパクトな空間にロック部材７２を配置できる。したがって、リール本体２の大型化を招くことなく回転部材５２をロックできるようにすることになる。また、捩じりコイルばね７３によりロック部材７２が係止位置に向けて付勢されているので、ロック部材７２と回転部材５２の係合部５２ａとの位相合わせが不要になる。
【００５８】
〔他の実施形態〕
（ａ）前記実施形態では、フロントドラグ機構８とリアドラグ機構７とを切り換えるドラグ切換機構９を例示したが、図６及び図７に示すように、ドラグ切換機構９をリアドラグ機構１０７と中間ドラグ機構１０８とを切り換えるように構成することもできる。
【００５９】
図６において、スピニングリールは、リール本体２のねじ筒部１０２ｄ、スプール１０４、リアドラグ機構１０７及び中間ドラグ機構（第３ドラグ機構の一例）１０８を除いて前記実施形態と同様であるので、同様部分の説明は省略する。スプール１０４は、スプール軸１１５にワンタッチで着脱自在なワンタッチ着脱機構１０４ｄを有している。スプール１０４は、スプール軸１１５に回転不能に装着されている。また、スプール軸１１５の後端部には、中間ドラグ機構１０８とリアドラグ機構１０７が並べて配置されている。なお、中間ドラグ機構１０８は、リアドラグ機構１０７の前方に配置されている。
【００６０】
リアドラグ機構１０７は、図７に示すように、スプール軸１１５の後端部に設けられている。リアドラグ機構１０７は、リール本体２に螺合するドラグ力調整用のリアドラグつまみ１５０と、スプール軸１１５の後部に回転不能かつ軸方向移動自在に装着された第１筒状部材１５１と、第１筒状部材１５１の外周面に回転不能に装着された第１ドラグディスク１５２と、第１ドラグディスク１５２の両側に接触する２枚の第２ドラグディスク１５３ａ，１５３ｂとを有している。
【００６１】
リアドラグつまみ１５０は、リールボディ２ａの後部にねじ止め固定された筒状のねじ筒部１０２ｄに回転自在に装着されている。リアドラグつまみ１５０は、ねじ筒部１０２ｄに回転自在に装着されたつまみ本体１６０と、つまみ本体１６０に回転不能かつ軸方向移動自在に装着されたナット部材１６１とを有している。またナット部材１６１と第２ドラグディスク１５３ｂとの間にコイルばね１６２が圧縮状態に装着されている。これらのリアドラグつまみ１５０の構成は前記実施形態と実質的に同様であるため、詳細な説明を省略する。
【００６２】
第１筒状部材１５１は、ねじ筒部１０２ｄに設けられた板状の装着部１０２ｈに形成された貫通孔１０２ｉに第２ドラグディスク１５３ａを介して前方への移動規制された状態で回転自在に装着されている。また、筒状部材５１と同様にコイルばね１６２により後方への移動も規制され、第１筒状部材１５１はリール本体２に対して軸方向移動不能である。
【００６３】
第１筒状部材１５１は、スプール軸１１５の後端部に形成された互いに平行に対向する面取り部１１５ｃに回転不能かつスプール軸１１５に対して軸方向移動自在に装着されている。第１筒状部材１５１の内周面には、面取り部１１５ｃに係合する長孔１５１ａが形成されている。第１筒状部材１５１の外周面の中間部には、径方向外方に突出する４つの突起部１５１ｂが周方向に間隔を隔てて形成されており、第１ドラグディスク１５２の内周面には、突起部１５１ｂに係止される４つの凹部１５２ａが形成されている。これにより、第１ドラグディスク１５２は、第１筒状部材１５１に対して回転不能になっている。第２ドラグディスク１５３ａ，１５３ｂは、前述した実施形態のドラグディスク５３ａ，５３ｂと同様な係止突起（図示せず）を有しており、ねじ筒部１０２ｄに回転不能に係止されている。
【００６４】
このような構成のリアドラグ機構１０７では、スプール１０４に常時ドラグ力を作用させることができるとともに、リアドラグつまみ１５０を回転させることによりドラグ力を調整できる。
中間ドラグ機構１０８は、リアドラグ機構１０７の前方に配置されており、前述した実施形態のリアドラグ機構７と同様な構成であるが、回転部材２５２が第２筒状部材２５１に対して回転自在になっている点が異なる。
【００６５】
中間ドラグ機構１０８は、第１筒状部材１５１の前方でスプール軸１１５に回転不能かつ軸方向移動自在に装着された第２筒状部材２５１と、第２筒状部材２５１の外周面に螺合する中間ドラグ調整ナット２５０と、第２筒状部材２５１の外周面に回転自在に装着された回転部材２５２と、第２回転部材２５２の両側に接触する２枚のドラグディスク２５３ａ，２５３ｂとを有している。中間ドラグ調整ナット２５０は、皿ばね２５５を介してドラグディスク２５３ｂを押圧する。これにより、中間ドラグ機構１０８のドラグ力を調整できる。
【００６６】
第２筒状部材２５１は、中間ドラグ機構１０８を構成するとともにドラグ切換機構９を構成する。第２筒状部材２５１は、第１筒状部材１５１の前端に接触して配置されている。第２筒状部材２５１は、リールボディ２ａの後部に設けられた板状の装着部２ｈに形成された段差付きの貫通孔２ｉに前方への移動規制された状態で回転自在に装着されている。また、第２筒状部材２５１は、筒状部材５１と同様に、スプール軸１１５の後端部に形成された互いに平行に対向する面取り部１１５ｃに回転不能かつスプール軸１１５に対して軸方向移動自在に装着されている。なお、スプール軸１１５は、スプール軸１５に比べて面取り部１１５ｃの長さが長くなっているとともに、先端の形状がワンタッチ着脱機構１０４ｄの関係で異なっている。
【００６７】
第２筒状部材２５１の内周面には、面取り部１１５ｃに係合する長孔２５１ａが形成されている。第２筒状部材２５１は、前側に形成された音出し用のギア部２５１ｂと、ギア部２５１ｂより大径に形成された鍔部２５１ｃと、鍔部２５１ｃより小径に形成された支持部２５１ｄとを有している。支持部２５１ｄには、互いに平行に形成された面取り部２５１ｅが形成されている。鍔部２５１ｃは、貫通孔２ｉの段差に接触しており、これにより第２筒状部材２５１の前方への移動が規制されている。また、第１筒状部材１５１により後方への移動も規制されている。ギア部２５１ｂには、中間ドラグ機構１０８の作動時（スプール軸１１５が回転するとき）に発音する図示しない音出しばねの先端が接触している。
【００６８】
回転部材２５２は、第２筒状部材２５１に回転自在に装着された円板状の部材であり、中間ドラグ機構１０８を構成するとともにドラグ切換機構９を構成する。回転部材２５２は、外周面に周方向に間隔を隔てて配置された複数の係合部２５２ａを有している。係合部２５２ａは、外周部から凹んで形成されている。
ドラグディスク２５３ａ，２５３ｂは、たとえばフェルト製のワッシャ２５４ａ，２５４ｂを介して回転部材２５２を挟んで配置されており、第２筒状部材２５１の支持部２５１ｄに回転不能に装着されている。
【００６９】
回転部材２５２はドラグ切換機構９のロック部材７２により回転可能状態と回転不能状態とに切り換えられる。これにより、中間ドラグ機構１０８は、作動不能状態（回転部材２５２の回転不能状態）と作動不能状態（回転部材２５２の回転可能状態）とに切り換えられる。
ドラグ切換機構９の構成は前述した実施形態と同様であり、操作レバー７１を図７に実線で示すロック位置に操作すると、回転部材２５２がロックされる。この結果、中間ドラグ機構１０８が作動可能な状態になり、スプール１０４がリアドラグ機構１０７のドラグ力と中間ドラグ機構１０８のドラグ力とを加えたドラグ力で制動される。また、操作レバー７１を図７に２点鎖線示す解除位置に操作すると、回転部材２５２のロックが解除され回転可能になる。この結果、中間ドラグ機構１０８が作動不能な状態になり、スプール１０４がリアドラグ機構１０７のドラグ力で制動される。
【００７０】
（ｂ）図８に示すように、操作レバー７１の連動部７８おいて、第１トグルばね７４との連結部分の係止孔１７８ｄを丸孔ではなく長孔で形成してもよい。図８では、円弧状の長孔を形成しているが形状は円弧状に限定されない。このような長孔の係止孔１７８ｄを形成すると、操作レバー７１がロック位置と解除位置とに揺動するとき、死点を超える付近で第１トグルばね７４が係止孔１７８ｄの端部が移動して発音する。これにより、操作レバー７１にクリック音を与えることができる。
【００７１】
また、図９に示すように、第１トグルばね７４の係止端にたとえば金属製のパイプ状のスペーサ７４ａを装着し、そのスペーサ７４ａを係止孔１７８ｄに係止させるようにしてもよい。この場合には、クリック音の音質が向上する。
（ｃ）前記実施形態では、スプール軸の前後移動じに回転部材やドラグディスクが前後移動しないようにするために、これらを筒状部材に装着したが、回転部材やドラグディスクをスプール軸の前後移動に対して前後移動しないように構成すれば、筒状部材を設ける必要はない。
【００７２】
【発明の効果】
本発明によれば、スプール軸回りに回転する回転部材と食い違う軸回りに揺動するロック部材を回転部材の係合部に係合させて回転部材を回転不能な状態と回転可能な状態とに切り換えている。このため、ロック部材を操作部材と同じ第１軸回りに揺動させるだけで回転部材をロックすることができ、ロック部材を小さな空間に配置できる。しかも、ロック部材と回転部材とは食い違う軸回りに配置されるので、回転部材の回転トルクによる反力を揺動軸で確実に受けることができる。このため、ロック部材をリール本体に接触させる必要がなくなり、さらにコンパクトな空間にロック部材を配置できる。したがって、リール本体の大型化を招くことなく回転部材をロックできるようにすることになる。また、第１付勢手段によりロック部材が係止位置に向けて付勢されているので、ロック部材と回転部材の係合部との位相合わせが不要になる。
【図面の簡単な説明】
【図１】本発明の一実施形態を採用したスピニングリールの側面一部断面図。
【図２】図１のＩＩ−ＩＩ断面図。
【図３】リール本体後部の断面図。
【図４】リアドラグ機構及びドラグ切換機構の分解斜視図。
【図５】リターン機構の動作を示す側面図。
【図６】他の実施形態の図１に相当する図。
【図７】他の実施形態の図３に相当する図。
【図８】連動部の他の実施形態を示す側面拡大図。
【図９】連動部の他の実施形態の変形例を示す側面拡大図。
【符号の説明】
１  ハンドル
２  リール本体
４，１０４  スプール
７，１０７  リアドラグ機構
８  フロントドラグ機構
９  ドラグ切換機構
１１  フェースギア
１５，１１５  スプール軸
５１  筒状部材
５２，２５２  回転部材
５２ａ，２５２ａ  係合部
７１  操作レバー
７２  ロック部材
７３  捩じりコイルばね
７４  第１トグルばね
７５  リターン機構
７６  軸部
７７  操作部
７８  連動部
８１  復帰突起部
８２  復帰部材
８３  第２トグルばね
１０８  中間ドラグ機構
２５１  第２筒状部材
【図１】
2004290112.tif 000003
【図２】
2004290112.tif 000004
【図３】
2004290112.tif 000005
【図４】
2004290112.tif 000006
【図５】
2004290112.tif 000007
【図６】
2004290112.tif 000008
【図７】
2004290112.tif 000009
【図８】
2004290112.tif 000010
【図９】
2004290112.tif 000011